(57)【要約】【課題】所定の複雑度を有するパスワードを設定すること。【解決手段】認証を行うためのパスワードを設定するために、パスワード候補を入力するパスワード候補入力画像（６１）を情報表示画面（ＵＩ１）に表示するパスワード候補入力画像表示手段（Ｃ７）と、設定される前記パスワードに必要な複雑度を記憶する複雑度記憶手段（Ｃ８Ｂ）と、前記パスワード候補入力画像（６１）で入力されたパスワード候補が、前記複雑度記憶手段（Ｃ８Ｂ）に記憶された必要な複雑度を満足しているか否かを判別する複雑度判別手段（Ｃ９）と、前記パスワード候補が前記必要な複雑度を満足している場合に、前記パスワード候補を認証時に使用するパスワードとして設定するパスワード設定手段（Ｃ１３）と、を備えた画像形成装置（Ｐｒ１）。【選択図】図２
2007148703.tif 000002
【特許請求の範囲】
【請求項１】
認証を行うためのパスワードを設定するために、パスワード候補を入力するパスワード候補入力画像を情報表示画面に表示するパスワード候補入力画像表示手段と、
設定される前記パスワードに必要な複雑度を記憶する複雑度記憶手段と、
前記パスワード候補入力画像で入力されたパスワード候補が、前記複雑度記憶手段に記憶された必要な複雑度を満足しているか否かを判別する複雑度判別手段と、
前記パスワード候補が前記必要な複雑度を満足している場合に、前記パスワード候補を認証時に使用するパスワードとして設定するパスワード設定手段と、
を備えたことを特徴とする画像形成装置。
【請求項２】
前記複雑度を設定するための複雑度設定画像を表示する複雑度設定画像表示手段と、
前記複雑度設定画像で設定された複雑度を記憶する前記複雑度記憶手段と、
を備えたことを特徴とする請求項１に記載の画像形成装置。
【請求項３】
パスワード候補を作成するためのキーワードを入力するためのキーワード入力画像を情報表示画面に表示するキーワード入力画像表示手段と、
前記キーワード入力画像に入力されたキーワードから、前記複雑度記憶手段に記憶された複雑度に応じたパスワード候補を作成するパスワード候補作成手段と、
を備えたことを特徴とする請求項１または２に記載の画像形成装置。
【請求項４】
入力された複数の前記キーワードを混合してパスワード候補を作成する前記パスワード候補作成手段、
を備えたことを特徴とする請求項３に記載の画像形成装置。
【請求項５】
英字により構成された前記キーワードの大文字と小文字とを混在させた前記パスワード候補を作成する前記パスワード候補作成手段、
を備えたことを特徴とする請求項３または４に記載の画像形成装置。
【請求項６】
複数のパスワード候補を作成する前記パスワード候補作成手段と、
作成された複数のパスワード候補を表示してパスワード候補を選択するためのパスワード候補画像を表示するパスワード候補画像表示手段と、
前記パスワード候補画像に表示されたパスワード候補の中から選択されたパスワード候補を前記パスワードとして設定する前記パスワード設定手段と、
を備えたことを特徴とする請求項３ないし５のいずれかに記載の画像形成装置。
【請求項７】
認証を行うためのパスワードを設定するために、パスワード候補を入力するパスワード候補入力画像を情報表示画面に表示するパスワード候補入力画像表示手段と、
設定される前記パスワードに必要な複雑度を記憶する複雑度記憶手段と、
前記パスワード候補入力画像で入力されたパスワード候補が、前記複雑度記憶手段に記憶された必要な複雑度を満足しているか否かを判別する複雑度判別手段と、
前記パスワード候補が前記必要な複雑度を満足している場合に、前記パスワード候補を認証時に使用するパスワードとして設定するパスワード設定手段と、
を備えたことを特徴とするパスワード設定装置。
【請求項８】
コンピュータを
認証を行うためのパスワードを設定するために、パスワード候補を入力するパスワード候補入力画像を情報表示画面に表示するパスワード候補入力画像表示手段と、
設定される前記パスワードに必要な複雑度を記憶する複雑度記憶手段と、
前記パスワード候補入力画像で入力されたパスワード候補が、前記複雑度記憶手段に記憶された必要な複雑度を満足しているか否かを判別する複雑度判別手段と、
前記パスワード候補が前記必要な複雑度を満足している場合に、前記パスワード候補を認証時に使用するパスワードとして設定するパスワード設定手段と、
として機能させるためのパスワード設定プログラム。
【発明の詳細な説明】
【技術分野】
【０００１】
本発明は、パスワードが設定されるプリンタ、ＦＡＸ、複写機、あるいはこれらの複数の機能を備えた複合機等の画像形成装置、パスワードを設定するパスワード設定装置およびパスワード設定プログラムに関し、特に、パスワードに所定の複雑度が必要な画像形成装置、パスワード設定装置およびパスワード設定プログラムに関する。
【背景技術】
【０００２】
複数のユーザが利用する複写機等の画像形成装置やワークステーション等の情報処理装置では、ユーザ毎に利用できる機能を制限等して管理するために、パスワードを使用した認証を行っている。しかし、ユーザがパスワードを設定する際に、ユーザが忘れないように単純なパスワードを設定することがあり、権限のない第三者により推測されやすく、利用権限のない人間により使用されたり、悪用される恐れもあった。
【０００３】
これに対応するために、特許文献１（特開平９−１１４７８５号公報）記載の技術では、ユーザが入力した文章の文字列を、所定の記号に置換することより、自動的にパスワード候補を作成して、パスワードを設定している。
【０００４】
【特許文献１】特開平９−１１４７８５号公報
【発明の開示】
【発明が解決しようとする課題】
【０００５】
（従来技術の問題点）
前記従来技術では、近年課題となっているセキュリティ強度（パスワードの複雑度）やユーザが覚えやすいかなどが考慮されていない。したがって、前記特許文献１記載の技術では、必要なセキュリティ強度のパスワードが作成されなかったり、ユーザがおぼえにくいパスワードが作成されてしまう。セキュリティ強度が低い場合には、結局第三者による悪用等を防止できない問題があり、パスワードが覚えにくい場合には、ユーザが別途メモしてしまいがちであり、メモの盗難や閲覧によりパスワードが漏洩しやすくなるという問題がある。
【０００６】
本発明は、前述の事情に鑑み、次の記載内容（Ｏ01），（Ｏ02）を技術的課題とする。
（Ｏ01）所定の複雑度を有するパスワードを設定すること。
（Ｏ02）ユーザが覚えやすいパスワードを設定すること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明の画像形成装置（Ｐｒ１）は、
認証を行うためのパスワードを設定するために、パスワード候補を入力するパスワード候補入力画像（６１，６１′）を情報表示画面（ＵＩ１）に表示するパスワード候補入力画像表示手段（Ｃ７，Ｃ７′）と、
設定される前記パスワードに必要な複雑度を記憶する複雑度記憶手段（Ｃ８Ｂ）と、
前記パスワード候補入力画像（６１，６１′）で入力されたパスワード候補が、前記複雑度記憶手段（Ｃ８Ｂ）に記憶された必要な複雑度を満足しているか否かを判別する複雑度判別手段（Ｃ９）と、
前記パスワード候補が前記必要な複雑度を満足している場合に、前記パスワード候補を認証時に使用するパスワードとして設定するパスワード設定手段（Ｃ１３）と、
を備えたことを特徴とする。
【０００９】
（第１発明の作用）
前記構成要件を備えた第１発明の画像形成装置（Ｐｒ１）では、パスワード候補入力画像表示手段（Ｃ７，Ｃ７′）は、認証を行うためのパスワードを設定するために、パスワード候補を入力するパスワード候補入力画像（６１，６１′）を情報表示画面（ＵＩ１）に表示する。複雑度記憶手段（Ｃ８Ｂ）は、設定される前記パスワードに必要な複雑度を記憶する。複雑度判別手段（Ｃ９）は、前記パスワード候補入力画像（６１，６１′）で入力されたパスワード候補が、前記複雑度記憶手段（Ｃ８Ｂ）に記憶された必要な複雑度を満足しているか否かを判別する。パスワード設定手段（Ｃ１３）は、前記パスワード候補が前記必要な複雑度を満足している場合に、前記パスワード候補を認証時に使用するパスワードとして設定する。
【００１０】
したがって、第１発明の画像形成装置（Ｐｒ１）では、パスワード候補が必要な複雑度を満足しているか否かが自動的に判別され、満足している場合にパスワードとして設定される。この結果、所定の複雑度を有するパスワードを設定することができる。また、パスワード候補は、パスワード候補入力画像（６１，６１′）において、ユーザにより入力されるので、ユーザが覚えやすいパスワードを設定することができる。
【００１１】
（第２発明）
前記技術的課題を解決するために、第２発明のパスワード設定装置（Ｐｒ１）は、
認証を行うためのパスワードを設定するために、パスワード候補を入力するパスワード候補入力画像（６１，６１′）を情報表示画面（ＵＩ１）に表示するパスワード候補入力画像表示手段（Ｃ７，Ｃ７′）と、
設定される前記パスワードに必要な複雑度を記憶する複雑度記憶手段（Ｃ８Ｂ）と、
前記パスワード候補入力画像（６１，６１′）で入力されたパスワード候補が、前記複雑度記憶手段（Ｃ８Ｂ）に記憶された必要な複雑度を満足しているか否かを判別する複雑度判別手段（Ｃ９）と、
前記パスワード候補が前記必要な複雑度を満足している場合に、前記パスワード候補を認証時に使用するパスワードとして設定するパスワード設定手段（Ｃ１３）と、
を備えたことを特徴とする。
【００１２】
（第２発明の作用）
前記構成要件を備えた第２発明のパスワード設定装置（Ｐｒ１）では、パスワード候補入力画像表示手段（Ｃ７，Ｃ７′）は、認証を行うためのパスワードを設定するために、パスワード候補を入力するパスワード候補入力画像（６１，６１′）を情報表示画面（ＵＩ１）に表示する。複雑度記憶手段（Ｃ８Ｂ）は、設定される前記パスワードに必要な複雑度を記憶する。複雑度判別手段（Ｃ９）は、前記パスワード候補入力画像（６１，６１′）で入力されたパスワード候補が、前記複雑度記憶手段（Ｃ８Ｂ）に記憶された必要な複雑度を満足しているか否かを判別する。パスワード設定手段（Ｃ１３）は、前記パスワード候補が前記必要な複雑度を満足している場合に、前記パスワード候補を認証時に使用するパスワードとして設定する。
【００１３】
したがって、第２発明のパスワード設定装置（Ｐｒ１）では、パスワード候補が必要な複雑度を満足しているか否かが自動的に判別され、満足している場合にパスワードとして設定される。この結果、所定の複雑度を有するパスワードを設定することができる。また、パスワード候補は、パスワード候補入力画像（６１，６１′）において、ユーザにより入力されるので、ユーザが覚えやすいパスワードを設定することができる。
【００１４】
（第３発明）
前記技術的課題を解決するために、第３発明のパスワード設定プログラム（Ｐ１）は、
コンピュータ（Ｐｒ１）を、
認証を行うためのパスワードを設定するために、パスワード候補を入力するパスワード候補入力画像（６１，６１′）を情報表示画面（ＵＩ１）に表示するパスワード候補入力画像表示手段（Ｃ７，Ｃ７′）、
設定される前記パスワードに必要な複雑度を記憶する複雑度記憶手段（Ｃ８Ｂ）、
前記パスワード候補入力画像（６１，６１′）で入力されたパスワード候補が、前記複雑度記憶手段（Ｃ８Ｂ）に記憶された必要な複雑度を満足しているか否かを判別する複雑度判別手段（Ｃ９）、
前記パスワード候補が前記必要な複雑度を満足している場合に、前記パスワード候補を認証時に使用するパスワードとして設定するパスワード設定手段（Ｃ１３）、
として機能させることを特徴とする。
【００１５】
（第３発明の作用）
前記構成要件を備えた第３発明のパスワード設定プログラム（Ｐ１）により、パスワード候補入力画像表示手段（Ｃ７，Ｃ７′）は、認証を行うためのパスワードを設定するために、パスワード候補を入力するパスワード候補入力画像（６１，６１′）を情報表示画面（ＵＩ１）に表示する。複雑度記憶手段（Ｃ８Ｂ）は、設定される前記パスワードに必要な複雑度を記憶する。複雑度判別手段（Ｃ９）は、前記パスワード候補入力画像（６１，６１′）で入力されたパスワード候補が、前記複雑度記憶手段（Ｃ８Ｂ）に記憶された必要な複雑度を満足しているか否かを判別する。パスワード設定手段（Ｃ１３）は、前記パスワード候補が前記必要な複雑度を満足している場合に、前記パスワード候補を認証時に使用するパスワードとして設定する。
【００１６】
したがって、第３発明のパスワード設定プログラム（Ｐ１）により、パスワード候補が必要な複雑度を満足しているか否かが自動的に判別され、満足している場合にパスワードとして設定される。この結果、所定の複雑度を有するパスワードを設定することができる。また、パスワード候補は、パスワード候補入力画像（６１，６１′）において、ユーザにより入力されるので、ユーザが覚えやすいパスワードを設定することができる。
【００１７】
（発明の形態１）
発明の形態１は、前記第１発明〜第３発明のいずれかにおいて、
前記複雑度を設定するための複雑度設定画像（７１）を表示する複雑度設定画像表示手段（Ｃ８Ａ）と、
前記複雑度設定画像（７１）で設定された複雑度を記憶する前記複雑度記憶手段（Ｃ８Ｂ）と、
を備えたことを特徴とする。
【００１８】
（発明の形態１の作用）
前記構成要件を備えた発明の形態１では、複雑度設定画像表示手段（Ｃ８Ａ）は、前記複雑度を設定するための複雑度設定画像（７１）を表示する。前記複雑度記憶手段（Ｃ８Ｂ）は、前記複雑度設定画像（７１）で設定された複雑度を記憶する。したがって、ユーザの使用環境に応じて適切な複雑度を設定することができる。
【００１９】
（発明の形態２）
発明の形態２は、前記第１発明〜第３発明および発明の形態１のいずれかにおいて、
パスワード候補を作成するためのキーワードを入力するためのキーワード入力画像（１０１，６１′）を情報表示画面（ＵＩ１）に表示するキーワード入力画像表示手段（Ｃ１４，Ｃ７′）と、
前記キーワード入力画像（１０１，６１′）に入力されたキーワードから、前記複雑度記憶手段（Ｃ８Ｂ）に記憶された複雑度に応じたパスワード候補を作成するパスワード候補作成手段（Ｃ１５）と、
を備えたことを特徴とする。
【００２０】
（発明の形態２の作用）
前記構成要件を備えた発明の形態２では、キーワード入力画像表示手段（Ｃ１４，Ｃ７′）は、パスワード候補を作成するためのキーワードを入力するためのキーワード入力画像（１０１，６１′）を情報表示画面（ＵＩ１）に表示する。パスワード候補作成手段（Ｃ１５）は、前記キーワード入力画像（１０１，６１′）に入力されたキーワードから、前記複雑度記憶手段（Ｃ８Ｂ）に記憶された複雑度に応じたパスワード候補を作成する。したがって、キーワードを入力することにより、必要な複雑度を満足するパスワード候補が自動的に作成できる。
【００２１】
（発明の形態３）
発明の形態３は、発明の形態２において、
入力された複数の前記キーワードを混合してパスワード候補を作成する前記パスワード候補作成手段（Ｃ１５）、
を備えたことを特徴とする。
（発明の形態３の作用）
前記構成要件を備えた発明の形態３では、前記パスワード候補作成手段（Ｃ１５）により、入力された複数の前記キーワードが混合されたパスワード候補を自動的に作成することができる。
【００２２】
（発明の形態４）
発明の形態４は、前記発明の形態２または３において、
英字により構成された前記キーワードの大文字と小文字とを混在させた前記パスワード候補を作成する前記パスワード候補作成手段（Ｃ１５）、
（発明の形態４の作用）
前記構成要件を備えた発明の形態４では、前記パスワード候補作成手段（Ｃ１５）により、英字により構成された前記キーワードの大文字と小文字とが混在した前記パスワード候補を自動的に作成できる。
【００２３】
（発明の形態５）
発明の形態５は、前記発明の形態２〜４のいずれかにおいて、
複数のパスワード候補を作成する前記パスワード候補作成手段（Ｃ１５）と、
作成された複数のパスワード候補を表示してパスワード候補を選択するためのパスワード候補画像（１２１，６１′）を表示するパスワード候補画像表示手段（Ｃ１７，Ｃ７′）と、
前記パスワード候補画像（１２１，６１′）に表示されたパスワード候補の中から選択されたパスワード候補を前記パスワードとして設定する前記パスワード設定手段（Ｃ１３）と、
を備えたことを特徴とする。
【００２４】
（発明の形態５の作用）
前記構成要件を備えた発明の形態５では、前記パスワード候補作成手段は、複数のパスワード候補を作成する。パスワード候補画像表示手段（Ｃ１７，Ｃ７′）は、作成された複数のパスワード候補を表示してパスワード候補を選択するためのパスワード候補画像（１２１，６１′）を表示する。前記パスワード設定手段（Ｃ１３）は、前記パスワード候補画像（１２１，６１′）に表示されたパスワード候補の中から選択されたパスワード候補を前記パスワードとして設定する。したがって、ユーザは、自分が覚えやすいパスワード候補を選択することができる。
【発明の効果】
【００２５】
前述の本発明は、下記の効果（Ｅ01），（Ｅ02）を奏する。
（Ｅ01）所定の複雑度を有するパスワードを設定することができる。
（Ｅ02）ユーザが覚えやすいパスワードを設定することができる。
【発明を実施するための最良の形態】
【００２６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２７】
図１は本発明の実施例１の画像形成装置の全体説明図である。
図１において、本発明の実施例１のパスワード設定装置としての複合機（画像形成装置）Ｐｒ１は、ユーザインタフェースＵＩと、印刷用紙を給紙するための複数の給紙トレイＴＲと、排紙トレイＴＲｈとを有している。なお、前記複合機Ｐｒ１は、マイクロコンピュータを内蔵し、コピー、プリンタ、ＦＡＸ、ネットワークスキャナの全ての機能を備えた電子写真方式の複合機により構成されている。
【００２８】
（実施例１の制御部の説明）
（画像形成装置の制御部の説明）
図２は、実施例１の画像形成装置としての複合機の制御部分が備えている各機能をブロック図（機能ブロック図）で示した図である。
図２において、実施例１の複合機Ｐｒ１のコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００２９】
（前記コントローラＣに接続された信号入力要素）
前記コントローラＣは、ＵＩ（ユーザインタフェース）や図示しない各種センサ等の信号入力要素からの信号が入力されている。
前記ＵＩは、表示器ＵＩ１や、コピースタートキーＵＩ２、テンキーＵＩ３等の入力キーを備えており、それらが入力されたことを検出して、その検出信号をコントローラＣに入力する。
【００３０】
（前記コントローラＣに接続された制御要素）
前記コントローラＣは、画像情報に応じて画像を形成し、原稿画像を読取る画像読取り部材（スキャナ部）ＰｒＡや、給紙トレイＴＲから給紙された用紙に画像を記録して排出トレイＴＲｈに排出する画像記録部材（プリンタ部）ＰｒＢ、その他の制御要素に接続されており、それらの作動制御信号を出力している。
【００３１】
（前記コントローラＣの機能）
前記コントローラＣは、前記各信号出力要素からの出力信号やネットワークを介して受信した情報、信号に応じた処理を実行して、前記各制御要素に制御信号を出力する機能（制御手段）を有している。前記コントローラＣの機能（制御手段）を次に説明する。
Ｃ１：画像情報受信手段
画像情報受信手段Ｃ１は、ＦＡＸ画像情報や、ケーブルまたはネットワークを介して接続された図示しないクライアントパソコンＰＣ等から送信された印刷画像情報等の画像情報を受信する。
Ｃ２：画像情報記憶手段
画像情報記憶手段Ｃ２は、受信した画像情報や、コピー動作時やスキャナ動作時、ＦＡＸ送信動作時の読取り画像情報等の作業（ジョブ、すなわち、プリント動作やスキャナ動作、ＦＡＸ動作、コピー動作等）を実行するための情報（データ）を記憶する。
【００３２】
Ｃ３：画像形成手段
画像形成手段Ｃ３は、実行するジョブ（コピー動作、プリント動作等）に応じて、前記画像読取り部材ＰｒＡや画像記録部材ＰｒＢの動作を制御して、ジョブを実行する。
Ｃ４：認証手段
認証手段Ｃ４は、認証画像表示手段Ｃ４Ａと、認証不可告知画像表示手段Ｃ４Ｂと、キーボード用画像表示手段Ｃ４Ｃと、認証情報記憶手段Ｃ４Ｄとを有し、複合機Ｐｒ１を使用しようとしているユーザ（利用者や管理者）が登録されたユーザであるか否かの認証を行う。
【００３３】
図３は実施例１の認証画像の説明図である。
Ｃ４Ａ：認証画像表示手段
認証画像表示手段Ｃ４Ａは、ユーザの認証情報を入力するための認証画像１１（図３参照）を表示部（情報表示画面）ＵＩ１に表示する。図３において、実施例１の認証画像１１は、認証情報としてのユーザＩＤを入力するためユーザＩＤ入力欄１２と、認証情報としてのパスワードを入力するためのパスワード入力欄１３と、ユーザＩＤやパスワードを入力するためのキーボード画像を表示するためのキーボード入力開始画像１４（図３の「キーボード」のアイコン参照）と、認証情報（ユーザＩＤおよびパスワード）の入力を終了して認証（ログイン）するための認証実行画像１６（図３の「ログイン」アイコン参照）とを有する。なお、実施例１の表示部ＵＩ１は、ユーザが指先で画像部分を触れることで入力が可能な接触入力型（いわゆる、タッチパネル）の表示部ＵＩ１により構成されている。
【００３４】
図４は実施例１の認証不可告知画像の説明図である。
Ｃ４Ｂ：認証不可告知画像表示手段
認証不可告知画像表示手段Ｃ４Ｂは、ユーザＩＤやパスワードが一致せず、認証（ログイン）ができなかった場合に、そのことをユーザに告知する認証不可告知画像２１（図４参照）を表示部ＵＩ１に表示する。図４において、実施例１の認証不可告知画像２１は、認証ができなかったことをユーザが確認する確認画像２２（図４の「ＯＫ」アイコン参照）を有する。
【００３５】
図５は実施例１のキーボード画像の説明図である。
Ｃ４Ｃ：キーボード用画像表示手段
キーボード用画像表示手段Ｃ４Ｃは、前記認証画像１１において、キーボード入力開始画像１４の入力がされた場合に、ユーザＩＤやパスワード等の入力を行うためのキーボード画像３１（図５参照）を表示部ＵＩ１に表示する。図５において、実施例１のキーボード画像３１は、入力項目を表示する入力項目表示欄３２（図３ではユーザＩＤ表示欄）と、画像部分を指で触れて入力を行うキーボード入力部３３と、入力項目表示欄３２に入力された内容を元の画像（認証画像１１等）の該当する入力欄に反映するための入力決定画像３４（図５の「決定」アイコン参照）と、入力項目表示欄３２に表示された内容を破棄して前記認証画像１１に戻る入力取り消し画像３６（図５の「取り消し」アイコン参照）とを有する。
Ｃ４Ｄ：認証情報記憶手段
認証情報記憶手段Ｃ４Ｄは、前記認証手段Ｃ６が認証を行う際に参照するユーザの認証情報（ユーザＩＤおよびパスワード）を記憶する。
【００３６】
図６は実施例１の機能選択画像の説明図である。
Ｃ５：機能選択画像表示手段
機能選択画像表示手段Ｃ５は、複合機Ｐｒ１の各機能を選択するための機能選択画像４１（メニュー画像、図６参照）を表示部ＵＩ１に表示する。図６において、実施例１の機能選択画像４１は、各機能を選択するための機能選択アイコン４２（図６の「コピー」アイコン４２ａ、「スキャナ」アイコン４２ｂ、「ＦＡＸ」アイコン４２ｃ参照）と、複合機Ｐｒ１の各種設定や仕様を登録、変更するための仕様変更アイコン４３（図６の「仕様変更」アイコン参照）と、複合機Ｐｒ１の操作を終了するためのログアウト画像４７（「ログアウト」アイコン参照）とを有する。
【００３７】
図７は実施例１の登録変更設定画像の説明図である。
Ｃ６：登録変更設定画像表示手段
登録変更設定画像表示手段Ｃ６は、複合機Ｐｒ１の各種設定や仕様を登録、変更する項目を選択するための登録変更設定画像５１（図７参照）を表示部ＵＩ１に表示する。図５において、実施例１の登録変更設定画像５１は、パスワードの変更、設定を行うためのパスワード設定アイコン５２（図７の「パスワード設定」アイコン参照）や、ＦＡＸの宛先やグループ等のその他の仕様を設定するための仕様設定アイコン５３（図７の「宛先グループ登録」アイコンや「宛先表登録」アイコン参照）、登録、変更を終了するための終了アイコン５４（図７の「閉じる」アイコン参照）を有する。
Ｐ１：パスワード設定プログラム
パスワード設定プログラムＰ１は、下記の機能手段Ｃ７〜Ｃ１９を有し、認証用のパスワードの設定、変更を行う。
【００３８】
図８は実施例１のパスワード候補入力画像の説明図である。
Ｃ７：パスワード候補入力画像表示手段
パスワード候補入力画像表示手段Ｃ７は、認証用のパスワードの候補であるパスワード候補を入力するためのパスワード候補入力画像６１（図８参照）を表示する。実施例１のパスワード候補入力画像６１は、入力されたパスワード候補を表示するパスワード候補表示欄６２と、パスワード候補を手動入力するためのキーボード画像３１を表示するためのパスワード候補入力開始画像６３（図８の「変更／削除」アイコン参照）と、パスワードの複雑度（パスワード強度）の設定を行うためのパスワード強度設定開始画像６４（図８の「パスワード強度参照／変更」アイコン参照）と、パスワード候補の作成を開始するための候補作成開始画像６６（図８の「候補作成」アイコン参照）と、パスワード候補の入力を終了してパスワード強度を満足するかの判別を開始するための候補入力完了指示画像６７（図８の「決定」アイコン参照）と、パスワードの設定を取り消すためのパスワード設定取り消し画像６８（図８の「取り消し」アイコン参照）とを有する。なお、実施例１では、パスワード候補表示欄６２は、セキュリティを保持するために、各文字が全て「＊」で表示されている。
【００３９】
Ｃ８：パスワード強度設定手段
パスワード強度設定手段Ｃ８は、パスワード強度設定画像表示手段Ｃ８Ａと、パスワード強度記憶手段Ｃ８Ｂと、を有し、ユーザの入力に応じて、設定されるパスワードに必要なパスワード強度（パスワードの複雑度）を設定する。
図９は実施例１のパスワード強度設定画像の説明図である。
Ｃ８Ａ：パスワード強度設定画像表示手段（複雑度設定画像表示手段）
パスワード強度設定画像表示手段Ｃ８Ａは、パスワード強度の設定を行うためのパスワード強度設定画像（複雑度設定画像）７１を表示部（情報表示画面）ＵＩ１に表示する。図９において、実施例１のパスワード強度設定画像７１は、パスワードの文字数（桁数）の最小値を設定する最小桁数設定欄７２と、パスワードの文字数の最大値を設定する最大桁数設定欄７３と、パスワードに英字の大文字と小文字が混合されていることを要求する設定を行う大文字小文字混合設定欄７４（図９の「大文字小文字混合」の隣のチェックボックス参照）と、パスワードに英字と数字が混合されていることを要求する設定を行う英数混合設定欄７６（図９の「英数混合」の隣のチェックボックス参照）と、パスワード強度の設定を終了する強度設定終了画像７７（図９の「決定」アイコン参照）と、パスワード強度の設定を取り消す強度設定取り消し画像７８（図９の「取り消し」アイコン参照）とを有する。
【００４０】
Ｃ８Ｂ：パスワード強度記憶手段（複雑度記憶手段）
パスワード強度記憶手段Ｃ８Ｂは、設定される前記パスワードに必要な複雑度（パスワード強度）を記憶する。実施例１のパスワード強度記憶手段Ｃ８Ｂは、前記パスワード強度設定画像７１で設定された内容であるパスワード強度を記憶する。
Ｃ９：複雑度判別手段
複雑度判別手段Ｃ９は、パスワード候補入力画像６１で入力されたパスワード候補が、設定された必要なパスワード強度を満足しているか否かを判別する。
【００４１】
図１０は実施例１のパスワード設定確認画像の説明図である。
Ｃ１０：パスワード候補確認画像表示手段
パスワード候補確認画像表示手段Ｃ１０は、入力されたパスワード候補がパスワード強度を満足している場合に、パスワード候補の再入力をして、パスワード候補の確認を行うためのパスワード設定確認画像８１（図１０参照）を表示する。図１０において、実施例１のパスワード設定確認画像８１は、再入力されたパスワード候補を表示する再入力パスワード候補表示欄８２と、パスワード候補を手動で再入力するためにキーボード画像３１を表示するためのパスワード候補入力開始画像８３（図１０の「変更／削除」アイコン参照）と、パスワード候補の再入力を終了してパスワード候補入力画像６１で入力されたパスワード候補と一致するか否かを判別するための再入力完了指示画像８４（図１０の「決定」アイコン参照）と、パスワード候補の入力に戻る確認取り消し画像８６（図１０の「取り消し」アイコン参照）とを有する。
【００４２】
図１１は実施例１の表示画像の説明図であり、図１１Ａは強度不足告知画像の説明図、図１１Ｂは確認パスワード不一致告知画像の説明図である。
Ｃ１１：強度不足告知画像表示手段
強度不足告知画像表示手段Ｃ１１は、入力されたパスワード候補がパスワード強度を満足していない場合に、その旨をユーザに告知する強度不足告知画像９１（図１１Ａ参照）を表示部ＵＩ１に表示する。図１１Ａにおいて、実施例１の強度不足告知画像９１は、パスワード強度が不足していることをユーザが確認したことを指示する確認指示画像９２（図１１Ａの「ＯＫ」アイコン参照）を有する。
Ｃ１２：パスワード確認手段
パスワード確認手段Ｃ１２は、確認パスワード不一致判別手段Ｃ１２Ａと、確認パスワード不一致告知画像表示手段Ｃ１２Ｂとを有し、パスワード設定確認画像８１で入力された確認パスワードがパスワード候補と一致するかを確認する。
Ｃ１２Ａ：確認パスワード不一致判別手段
確認パスワード不一致判別手段Ｃ１２Ａは、パスワード設定確認画像８１で入力された確認パスワードがパスワード候補と一致するか否かを判別する。
【００４３】
Ｃ１２Ｂ：確認パスワード不一致告知画像表示手段
確認パスワード不一致告知画像表示手段Ｃ１２Ｂは、パスワード設定確認画像８１で入力された確認パスワードがパスワード候補と一致しない場合に、その旨をユーザに告知する確認パスワード不一致告知画像９６（図１１Ｂ参照）を表示部ＵＩ１に表示する。図１１Ｂにおいて、実施例１の確認パスワード不一致告知画像９６は、入力した確認用のパスワードが一致していないことをユーザが確認したことを指示する確認指示画像９７（図１１Ｂの「ＯＫ」アイコン参照）を有する。
Ｃ１３：パスワード設定手段
パスワード設定手段Ｃ１３は、パスワード候補が前記必要なパスワード強度（複雑度）を満足している場合に、パスワード候補を認証時に使用するパスワードとして設定する。実施例１のパスワード設定手段Ｃ１３は、パスワード候補がパスワード強度を満足し且つ、パスワード候補確認画像８１で再入力されたパスワード候補がパスワード候補入力画像６１で入力されたパスワード候補と一致する場合に、パスワード候補をユーザの新たなパスワードとして、認証情報記憶手段Ｃ４Ｄに登録、更新する。
【００４４】
図１２は実施例１のキーワード入力画像の説明図である。
Ｃ１４：キーワード入力画像表示手段
キーワード入力画像表示手段Ｃ１４は、パスワード候補を作成するためのキーワードを入力するためのキーワード入力画像１０１（図１２参照）を表示部（情報表示画面）ＵＩ１に表示する。図１２において、実施例１のキーワード入力画像１０１は、入力された第１キーワードが表示される第１キーワード入力欄１０２（図１２では、第１キーワードとして入力された「Ｋａｍａｋｕｒａ」が表示されている）と、入力された第２キーワードが表示される第２キーワード入力欄１０３（図１２では、第２キーワードとして入力された「１１９２」が表示されている）と、各キーワードを手動で入力するためにキーボード画像３１を表示するためのパスワード候補入力開始画像１０４（図１２の「変更／削除」アイコン参照）と、パスワードの複雑度（パスワード強度）の設定を行うためのパスワード強度設定開始画像１０６（図１２の「パスワード強度参照／変更」アイコン参照）と、パスワード候補を自動で作成せずパスワード候補入力画像６１で手動でパスワード候補の入力を実行するための手動入力開始画像１０７（図１２の「手動入力」アイコン参照）と、キーワードの入力を終了してパスワード候補の作成を開始するためのキーワード入力完了指示画像１０８（図１２の「決定」アイコン参照）と、キーワード入力を取り消すためのキーワード入力取り消し画像１０９（図１２の「取り消し」アイコン参照）とを有する。なお、実施例１では、前記手動入力開始画像１０７と、キーワード入力取り消し画像１０９の入力がされた場合の効果は、実質的には同じである。
【００４５】
Ｃ１５：パスワード候補作成手段
パスワード候補作成手段Ｃ１５は、強度満足候補作成可否判別手段Ｃ１５Ａと、強度満足候補作成不可告知画像表示手段Ｃ１５Ｂと、乱数発生手段Ｃ１５Ｃと、キーワード混合手段Ｃ１５Ｄと、大文字小文字変換手段Ｃ１５Ｅと、母音削除手段Ｃ１５Ｆと、パスワード候補作成数判別手段Ｃ１５Ｇとを有し、キーワード入力画像１０１に入力されたキーワードから、パスワード強度記憶手段Ｃ８Ｂに記憶された複雑度（パスワード強度）に応じたパスワード候補を作成する。
Ｃ１５Ａ：強度満足候補作成可否判別手段
強度満足候補作成可否判別手段Ｃ１５Ａは、全文字数判別手段Ｃ１５Ａ１と、大文字小文字混合判別手段Ｃ１５Ａ２と、英数混合判別手段Ｃ１５Ａ３とを有し、入力された第１キーワードおよび第２キーワードと、パスワード強度記憶手段Ｃ８Ｂに記憶されたパスワード強度から、パスワード強度を満足するパスワード候補が作成できるか否かを判別する。
【００４６】
Ｃ１５Ａ１：全文字数判別手段
全文字数判別手段Ｃ１５Ａ１は、第１キーワードの文字数（桁数）と、第２キーワードの文字数の合計値が、パスワード強度記憶手段Ｃ８Ｂに記憶された桁数の最小値以上であるか否かを判別することにより、パスワード強度を満足するパスワード候補が作成できるか否かを判別する。
Ｃ１５Ａ２：大文字小文字混合判別手段
大文字小文字混合判別手段Ｃ１５Ａ２は、パスワード強度記憶手段Ｃ８Ｂに大文字小文字混合の設定がされている場合に、第１キーワードおよび第２キーワードの中に２文字以上の英字が含まれているか否かを判別することにより、大文字と小文字が混合されたパスワード候補を作成できるか否かを判別する。
Ｃ１５Ａ３：英数混合判別手段
英数混合判別手段Ｃ１５Ａ３は、パスワード強度記憶手段Ｃ８Ｂに英数混合の設定がされている場合に、第１キーワードおよび第２キーワードの中に１文字以上の英字と１文字以上の数字が含まれているか否かを判別することにより、英字と数字が混合されたパスワード候補を作成できるか否かを判別する。
【００４７】
図１３は実施例１の強度満足候補作成不可告知画像の説明図である。
Ｃ１５Ｂ：強度満足候補作成不可告知画像表示手段
強度満足候補作成不可告知画像表示手段Ｃ１５Ｂは、前記パスワード強度を満足するパスワード候補を作成できないと判別された場合に、その旨をユーザに告知する強度満足候補作成不可告知画像１１１（図１３参照）を表示部ＵＩ１に表示する。図１３において、実施例１の強度満足候補作成不可告知画像１１１は、パスワード強度を満足するパスワード候補を作成できないことをユーザが確認したことを指示する確認指示画像１１２（図１３の「ＯＫ」アイコン参照）を有する。
Ｃ１５Ｃ：乱数発生手段
乱数発生手段Ｃ１５Ｃは、キーワードからパスワード候補を作成する際に、キーワードを混合する位置や大文字小文字の変換、母音の削除等を行う際に使用される乱数を発生させる。
【００４８】
図１４はキーワード混合位置の説明図である。
Ｃ１５Ｄ：キーワード混合手段
キーワード混合位置手段Ｃ１５Ｄは、第１キーワードと第２キーワードを混合する。実施例１のキーワード混合位置設定手段Ｃ１５Ｄは、乱数を使用して第１キーワードと第２キーワードとを混合させる。図１４において、例えば、第１キーワードが「Ｋａｍａｋｕｒａ」、第２キーワードが「１１９２」の場合、実施例１のキーワード混合位置設定手段Ｃ１５Ｄは、第１キーワードの８文字に対し、各文字の間のどこに第２キーワードを混合させるかを決定するために、先ず文字間に順に０〜８（合計９箇所）の数値を割り当てる。そして、取得した乱数を９箇所の９で割った余りに対応する位置（余りが「４」の場合は「Ｋａｍａ」と「ｋｕｒａ」の間）を、第２キーワードを混合する位置に設定する。次に、第２キーワード「１１９２」についても同様に処理して第１キーワードを混合する位置（乱数を５（箇所）で割った余りが「２」の場合は「１１」と「９２」の間）を設定する。そして、設定された混合位置に応じて、キーワードを混合して、パスワード候補（前記例では、「Ｋａｍａ１１ｋｕｒａ９２」）を作成する。
【００４９】
Ｃ１５Ｅ：大文字小文字変換手段
大文字小文字変換手段Ｃ１５Ｅは、大文字と小文字の変換を行う。実施例１の大文字小文字変換手段Ｃ１５Ｅは、取得した乱数を３で割った余りが「０」の場合に、キーワードの奇数番目の英字を全て大文字に変換し、３で割った余りが「１」の場合に、キーワードの偶数番目の英字を全て大文字に変換し、３で割った余りが「２」の場合に、キーワードの英字を変換しないように構成されている。
Ｃ１５Ｆ：母音削除手段
母音削除手段Ｃ１５Ｆは、英字の母音を削除する。実施例１の母音削除手段Ｃ１５Ｆは、取得した乱数を２で割った余りが「０」の場合に、英字の母音全ての削除を実行し、取得した乱数を２で割った余りが「１」の場合に、母音の削除を実行しないように構成されている。
【００５０】
Ｃ１５Ｇ：パスワード候補作成数判別手段
パスワード候補作成数判別手段Ｃ１５Ｇは、パスワード候補作成数記憶手段Ｃ１５Ｇ１と、パスワード候補作成済み数カウント手段Ｃ１５Ｇ２と、を有し、パスワード候補が所定の数作成されたか否かを判別する。
Ｃ１５Ｇ１：パスワード候補作成数記憶手段
パスワード候補作成数記憶手段Ｃ１５Ｇ１は、パスワード候補を作成する数である予め設定されたパスワード候補作成数Ｎｓを記憶する。
Ｃ１５Ｇ２：パスワード候補作成済み数カウント手段
パスワード候補作成済み数カウント手段Ｃ１５Ｇ２は、自動的に作成したパスワード候補の数であるパスワード候補作成済数Ｎ１をカウントする。
Ｃ１６：パスワード候補リスト記憶手段
パスワード候補リスト記憶手段Ｃ１６は、前記パスワード候補作成手段Ｃ１５で作成されたパスワード候補をリスト化して記憶する。
【００５１】
図１５は実施例１のパスワード候補画像の説明図であり、図１５Ａはパスワード決定モード時のパスワード候補画像の説明図、図１５Ｂは再作成候補選択モード時のパスワード候補画像の説明図である。
Ｃ１７：パスワード候補画像表示手段
パスワード候補画像表示手段Ｃ１７は、作成された複数のパスワード候補を表示してパスワード候補を選択するためのパスワード候補画像１２１（図１５参照）を表示する。図１５において、実施例１のパスワード候補画像１２１では、作成された複数のパスワード候補が表示される作成パスワード候補表示欄１２２と、作成パスワード候補表示欄１２２の中からパスワードを決定するパスワード決定状態（パスワード決定モード）に移行するパスワード決定状態移行画像１２３（図１５の「パスワード決定」アイコン参照）と、作成パスワード候補表示欄１２２の中から覚えられそうなパスワード候補を選択して、選択したパスワード候補以外に新たなパスワード候補を作成するための再作成候補選択状態（再作成候補選択モード）に移行する再作成候補選択状態移行画像１２４（図１５の「再作成用候補選択」アイコン参照）と、キーワード候補の再作成を実行するための候補再作成画像１２６（図１５の「候補再作成」アイコン参照）と、パスワード候補を決定する候補決定指示画像１２７（図１５の「決定」アイコン参照）と、キーワードの再入力を行うためのキーワード再入力移行画像１２８（図１５の「取り消し」アイコン参照）とを有する。
【００５２】
図１５において、実施例１のパスワード候補画像１２１では、作成パスワード候補表示欄１２２でユーザが選択したパスワード候補は、反転表示される。また、実施例１のパスワード候補画像１２１では、パスワード決定状態移行画像１２３の入力がされるとパスワード決定モードに移行し、再作成候補選択状態移行画像１２４の入力がされると再作成候補選択モードに移行する。図１５Ａにおいて、前記パスワード決定モードでは、パスワード決定状態移行画像１２３が選択状態となり、候補再作成画像１２６（「候補再作成」アイコン）がグレーアウト表示されて入力無効状態となる。一方、図１５Ｂにおいて、再作成候補選択モードでは、再作成候補選択状態移行画像１２４が選択状態となり、候補決定指示画像１２７（「決定」アイコン）がグレーアウト表示されて入力無効状態となる。
【００５３】
Ｃ１８：：パスワード候補選択判別手段
パスワード候補選択判別手段Ｃ１８は、候補決定指示画像１２７（図１５の「決定」アイコン参照）の入力がされた時に、前記パスワード候補画像１２１でパスワード候補が選択されているか否かを判別する。
図１６は実施例１のパスワード候補無選択告知画像の説明図である。
Ｃ１９：パスワード候補無選択告知画像表示手段
パスワード候補無選択告知画像表示手段Ｃ１９は、候補決定指示画像１２７（図１５の「決定」アイコン参照）の入力がされた時に、前記パスワード候補画像１２１でパスワード候補が選択されていない場合に、その旨をユーザに告知するパスワード候補無選択告知画像１３１（図１６参照）を表示部ＵＩ１に表示する。図１６において、実施例１のパスワード候補無選択告知画像１３１は、パスワード候補画像１２１でパスワード候補が選択されていないことをユーザが確認したことを指示する確認指示画像１３２（図１３の「ＯＫ」アイコン参照）を有する。
【００５４】
ＦＬ１：パスワード選択画像遷移判別フラグ
パスワード選択画像遷移判別フラグＦＬ１は、初期値は「０」であり、パスワード再入力画像８１を表示する前の画像がパスワード入力画像６１の場合に「０」となり、パスワード再入力画像８１を表示する前の画像がパスワード候補画像１２１の場合に「１」となる。
【００５５】
（実施例１のフローチャートの説明）
（機能選択処理のフローチャートの説明）
図１７は実施例１の画像形成装置のメインフローチャートである。
図１７のフローチャートの各ＳＴ（ステップ）の処理は、複合機Ｐｒ１のＲＯＭやハードディスク等に記憶されたプログラムに従って行われる。また、この処理は複合機Ｐｒ１の他の各種処理と並行してマルチタスクで実行される。
【００５６】
図１７のＳＴ１において、複合機Ｐｒ１のユーザーの認証を行うユーザ認証処理（後述する図１８のサブルーチン参照）を実行して、ＳＴ２に進む。
ＳＴ２において、表示部ＵＩ１に機能選択画像４１を表示する。そして、ＳＴ３に進む。
ＳＴ３において、「コピー」アイコン４２ａを選択する入力がされたか否かを判別する。イエス（Ｙ）の場合はＳＴ４に進み、ノー（Ｎ）の場合はＳＴ５に進む。
ＳＴ４において、コピー枚数等を設定してジョブとしてのコピー動作を実行する従来公知のコピー機能選択時の処理を行い、ＳＴ２に戻る。
ＳＴ５において、「スキャナ」アイコン４２ｂを選択する入力がされたか否かを判別する。イエス（Ｙ）の場合はＳＴ６に進み、ノー（Ｎ）の場合はＳＴ７に進む。
ＳＴ６において、原稿画像を読取るスキャナ動作（ジョブ）を実行する従来公知のスキャナ機能選択時の処理を行い、ＳＴ２に戻る。
【００５７】
ＳＴ７において、「ＦＡＸ」アイコン４２ｃを選択する入力がされたか否かを判別する。イエス（Ｙ）の場合はＳＴ８に進み、ノー（Ｎ）の場合はＳＴ９に進む。
ＳＴ８において、宛先を入力し、原稿画像を読取って送信する従来公知のＦＡＸ動作（ジョブ）を実行するＦＡＸ機能選択時の処理を行い、ＳＴ２に戻る。
ＳＴ９において、登録変更アイコン４３を選択する入力がされたか否かを判別する。イエス（Ｙ）の場合はＳＴ１０進み、ノー（Ｎ）の場合はＳＴ１１に進む。
ＳＴ１０において、複合機Ｐｒ１の仕様等を登録、変更するための登録変更処理（後述する図１９のサブルーチン参照）を実行して、ＳＴ２に戻る。
ＳＴ１１において、「ログアウト」アイコン４７を選択する入力がされたか否かを判別する。イエス（Ｙ）の場合はＳＴ１２に進み、ノー（Ｎ）の場合はＳＴ３に戻る。
ＳＴ１２において、認証され、ログイン中のユーザをログアウトさせる処理を実行し、ＳＴ１に戻る。
【００５８】
（ユーザ認証処理（ＳＴ１のサブルーチン）の説明）
図１８は実施例１のユーザ認証処理のフローチャートであり、図１７のＳＴ１のサブルーチンである。
図１８のＳＴ２１において、認証画像１１を表示部ＵＩ１に表示し、ＳＴ２２に進む。
ＳＴ２２において、認証画像１１の認証実行画像１６（図３の「ログイン」アイコン参照）を選択する入力がされたか否かを判別する。ノー（Ｎ）の場合はＳＴ２３に進み、イエス（Ｙ）の場合はＳＴ２５に進む。
ＳＴ２３において、認証画像１１のキーボード入力開始画像１４（図３の「キーボード」のアイコン参照）を選択する入力がされたか否かを判別する。イエス（Ｙ）の場合はＳＴ２４に進み、ノー（Ｎ）の場合はＳＴ２２に戻る。
ＳＴ２４において、キーボード画像３１を表示部ＵＩ１に表示し、キーボード入力部３３によりユーザＩＤまたはパスワードの入力を行い、入力決定画像３４（図５の「決定」アイコン参照）の入力に応じて、認証画像１１のユーザＩＤ入力欄１２またはパスワード入力欄１３に入力内容を反映させる変更削除用処理（後述する図２１参照）を実行して、ＳＴ２１に戻る。
【００５９】
ＳＴ２５において、認証画像１１のユーザＩＤ入力欄１２に入力された情報に基づいて、入力されたユーザＩＤは認証情報記憶手段Ｃ４Ｄに登録（記憶）されているか否かを判別する。イエス（Ｙ）の場合はＳＴ２６に進み、ノー（Ｎ）の場合はＳＴ２７に進む。
ＳＴ２６において、認証画像１１のパスワード入力欄１３に入力された情報に基づいて、入力されたパスワードが、認証情報記憶手段Ｃ４Ｄに登録（記憶）されているユーザＩＤのパスワード（認証情報）に一致するか否かを判別する。ノー（Ｎ）の場合はＳＴ２７に進み、イエス（Ｙ）の場合は図１８のユーザ認証処理を終了して、図１７の機能選択処理に戻る。
ＳＴ２７において、認証不可告知画像２１（図４参照）を表示部ＵＩ１に表示する。そして、ＳＴ２８に進む。
ＳＴ２８において、認証不可告知画像２１の確認画像２２（図４の「ＯＫ」アイコン参照）を選択する入力がされたか否かを判別する。イエス（Ｙ）の場合はＳＴ２１に戻り、ノー（Ｎ）の場合はＳＴ２８を繰り返す。
【００６０】
（登録変更処理（ＳＴ１０のサブルーチン）の説明）
図１９は実施例１の登録変更処理のフローチャートであり、図１７のＳＴ１０のサブルーチンである。
図１９のＳＴ３１において、表示部ＵＩ１に登録変更設定画像５１を表示する。そして、ＳＴ３２に進む。
ＳＴ３２において、パスワード設定アイコン５２を選択する入力がされたか否かを判別する。イエス（Ｙ）の場合はＳＴ３３に進み、ノー（Ｎ）の場合はＳＴ３４に進む。
ＳＴ３３において、ユーザのパスワードを設定、変更するパスワード設定処理（後述する図２０のサブルーチン参照）を実行して、ＳＴ３１に戻る。
ＳＴ３４において、登録変更設定画像５１の終了アイコン５４（図７の「閉じる」アイコン参照）の入力がされたか否かを判別する。ノー（Ｎ）の場合はＳＴ３５に進み、イエス（Ｙ）の場合は図１９の登録変更処理を終了して、図１７に戻る。
ＳＴ３５において、登録変更設定画像２１でその他の入力がされたか否かを判別する。イエス（Ｙ）の場合はＳＴ３６に進み、ノー（Ｎ）の場合はＳＴ３２に戻る。
ＳＴ３６において、登録変更設定画像２１での入力に応じた処理（図示しない宛先設定処理等）を実行し、ＳＴ３１に戻る。
【００６１】
（パスワード設定処理（ＳＴ３３のサブルーチン）の説明）
図２０は実施例１のパスワード設定処理のフローチャートであり、図１９のＳＴ３３のサブルーチンである。
図２０のＳＴ４１において、表示部ＵＩ１にパスワード候補入力画像６１（図８参照）を表示する。そして、ＳＴ４２に進む。
ＳＴ４２において、パスワード候補入力開始画像６３（図８の「変更／削除」アイコン参照）の入力がされたか否かを判別する。イエス（Ｙ）の場合はＳＴ４３に進み、ノー（Ｎ）の場合はＳＴ４４に進む。
ＳＴ４３において、パスワード候補を入力するためにキーボード画像３１を表示部ＵＩ１に表示して、キーボード入力部３３によりパスワード候補の入力を行う変更削除用処理（後述する図２１のサブルーチン参照）を実行して、ＳＴ４１に戻る。
【００６２】
ＳＴ４４において、パスワード強度設定開始画像６４（図８の「パスワード強度参照／変更」アイコン参照）を選択する入力がされたか否かを判別する。イエス（Ｙ）の場合はＳＴ４５に進み、ノー（Ｎ）の場合はＳＴ４６に進む。
ＳＴ４５において、パスワードの複雑度（パスワード強度）の設定を行うパスワード強度設定処理（後述する図２２のサブルーチン参照）を実行して、ＳＴ４１に戻る。
ＳＴ４６において、候補作成開始画像６６（図８の「候補作成」アイコン参照）を選択する入力がされたか否かを判別する。イエス（Ｙ）の場合はＳＴ４７に進み、ノー（Ｎ）の場合はＳＴ４８に進む。
ＳＴ４７において、パスワード候補を自動的に作成して選択するパスワード候補作成選択処理（後述する図２３、図２４のサブルーチン参照）を実行して、ＳＴ４９に進む。
【００６３】
ＳＴ４８において、候補入力完了指示画像６７（図８の「決定」アイコン参照）を選択する入力がされたか否かを判別する。イエス（Ｙ）の場合はＳＴ４９に進み、ノー（Ｎ）の場合はＳＴ５０に進む。
ＳＴ４９において、入力されたパスワード候補が、必要なパスワード強度を備えているか否かを判別し、備えている場合にパスワード候補の再入力を行って確認をして、パスワードの設定を行うパスワード確認処理（後述する図２６のサブルーチン参照）を実行し、図２０のパスワード設定処理を終了して、図１９に戻る。
ＳＴ５０において、パスワード設定取り消し画像６８（図８の「取り消し」アイコン参照）を選択する入力がされたか否かを判別する。ノー（Ｎ）の場合はＳＴ４２に戻り、イエス（Ｙ）の場合は図２０のパスワード設定処理を終了して、図１９に戻る。
【００６４】
（変更削除用処理（ＳＴ２４，ＳＴ４３、ＳＴ８３、ＳＴ１７３のサブルーチン）の説明）
図２１は実施例１の変更削除用処理のフローチャートであり、図１８のＳＴ２４や図２０のＳＴ４３等のサブルーチンである。
図２１のＳＴ６１において、キーボード画像３１（図５参照）を表示部ＵＩ１に表示する。そして、ＳＴ６２に進む。
ＳＴ６２において、入力決定画像３４（図５の「決定」アイコン参照）を選択する入力がされたか否かを判別する。イエス（Ｙ）の場合はＳＴ６３に進み、ノー（Ｎ）の場合はＳＴ６４に進む。
ＳＴ６３において、入力項目表示欄３２に入力された内容を入力内容として記憶し、認証画像１１やパスワード候補表示欄６２、キーワード入力欄１０２，１０３等に反映する。そして、図２１の変更削除用処理を終了し、変更削除用処理に移行する前の処理（図１８，図２０等）に戻る。
【００６５】
ＳＴ６４において、入力取り消し画像３６（図５の「取り消し」アイコン参照）を選択する入力がされたか否かを判別する。イエス（Ｙ）の場合はＳＴ６５に進み、ノー（Ｎ）の場合はＳＴ６６に進む。
ＳＴ６５において、入力項目表示欄３２に入力された内容を破棄して、図２１の変更削除用処理を終了し、変更削除用処理に移行する前の処理（図１８，図２０等）に戻る。
ＳＴ６６において、その他の入力、すなわち、キーボード入力部３３やテンキーＵＩ３等による入力がされたか否かを判別する。イエス（Ｙ）の場合はＳＴ６７に進み、ノー（Ｎ）の場合はＳＴ６２に戻る。
ＳＴ６７において、入力内容に応じてキーボード画像３１（入力項目表示欄３２）を更新する。そして、ＳＴ６２に戻る。
【００６６】
（パスワード強度設定処理（ＳＴ４５、ＳＴ８５のサブルーチン）の説明）
図２２は実施例１のパスワード強度設定処理のフローチャートであり、図２０のＳＴ４５等のサブルーチンである。
図２２のＳＴ７１において、パスワード強度設定画像７１を表示部（情報表示画面）ＵＩ１に表示する。そして、ＳＴ７２に進む。
ＳＴ７２において、設定を変更する入力、すなわち、最小桁数設定欄７２や、最大桁数設定欄７３、大文字小文字混合設定欄７４（図９の「大文字小文字混合」の隣のチェックボックス参照）、英数混合設定欄７６（図９の「英数混合」の隣のチェックボックス参照）の設定を変更する入力がされたか否かを判別する。イエス（Ｙ）の場合はＳＴ７３に進み、ノー（Ｎ）の場合はＳＴ７４に進む。
ＳＴ７３において、入力に応じて、最小桁数設定欄７２や、最大桁数設定欄７３、大文字小文字混合設定欄７４（チェックボックス）、英数混合設定欄７６（チェックボックス）の画像を更新して、ＳＴ７２に戻る。
【００６７】
ＳＴ７４において、強度設定終了画像７７（図９の「決定」アイコン参照）を選択する入力がされたか否かを判別する。イエス（Ｙ）の場合はＳＴ７５に進み、ノー（Ｎ）の場合はＳＴ７６に進む。
ＳＴ７５において、パスワード強度設定画像７１に入力されている内容を更新されたパスワード強度として記憶する。そして、図２２のパスワード強度設定処理を終了する。
ＳＴ７６において、強度設定取り消し画像７８（図９の「取り消し」アイコン参照）を選択する入力がされたか否かを判別する。イエス（Ｙ）の場合はＳＴ７７に進み、ノー（Ｎ）の場合はＳＴ７２に戻る。
ＳＴ７７において、パスワード強度設定画像７１に入力されている内容を破棄し、図２２のパスワード強度設定処理を終了する。
【００６８】
（パスワード候補作成選択処理（ＳＴ４７のサブルーチン）の説明）
図２３はパスワード候補作成選択処理のフローチャートであり、図２０のＳＴ４７のサブルーチンである。
図２４はパスワード候補作成選択処理のフローチャートであり、図２３の続きのフローチャートである。
図２３のＳＴ８１において、キーワード入力画像１０１（図１２参照）を表示部（情報表示画面）ＵＩ１に表示する。そして、ＳＴ８２に進む。
ＳＴ８２において、パスワード候補入力開始画像１０４（図１２の「変更／削除」アイコン参照）を選択する入力がされたか否かを判別する。イエス（Ｙ）の場合はＳＴ８３に進み、ノー（Ｎ）の場合はＳＴ８４に進む。
ＳＴ８３において、パスワード候補を入力するためにキーボード画像３１を表示部ＵＩ１に表示して、キーボード入力部３３によりパスワード候補の入力を行う変更削除用処理（前記図２１のサブルーチン参照）を実行して、ＳＴ８１に戻る。
【００６９】
ＳＴ８４において、パスワード強度設定開始画像１０６（図１２の「パスワード強度参照／変更」アイコン参照）を選択する入力がされたか否かを判別する。イエス（Ｙ）の場合はＳＴ８５に進み、ノー（Ｎ）の場合はＳＴ８６に進む。
ＳＴ８５において、パスワードの複雑度（パスワード強度）の設定を行うパスワード強度設定処理（前記図２２のサブルーチン参照）を実行して、ＳＴ８１に戻る。
ＳＴ８６において、キーワード入力取り消し画像１０９（図１２の「取り消し」アイコン参照）を選択する入力がされたか否かを判別する。ノー（Ｎ）の場合はＳＴ８７に進み、イエス（Ｙ）の場合はＳＴ８８に進む。
ＳＴ８７において、手動入力開始画像１０７（図１２の「手動入力」アイコン参照）を選択する入力がされたか否かを判別する。イエス（Ｙ）の場合はＳＴ８８に進み、ノー（Ｎ）の場合はＳＴ８９に進む。
ＳＴ８８において、入力内容を破棄して、図２０のパスワード設定処理のＳＴ４１に戻る。
【００７０】
ＳＴ８９において、キーワード入力完了指示画像１０８（図１２の「決定」アイコン参照）を選択する入力がされたか否かを判別する。イエス（Ｙ）の場合はＳＴ９０に進み、ノー（Ｎ）の場合はＳＴ８２に戻る。
ＳＴ９０において、パスワード候補を作成するパスワード候補作成処理（後述する図２５のサブルーチン参照）を実行して、ＳＴ９１に進む。
図２４のＳＴ９１において、パスワード決定モードに設定する。そして、ＳＴ９２に進む。
ＳＴ９２において、パスワード候補リストに登録されたパスワード候補に応じて、パスワード決定モード時のパスワード候補画像１２１（図１５Ａ参照）を表示する。そして、ＳＴ９３に進む。
ＳＴ９３において、作成パスワード候補表示欄１２２のパスワード候補を選択する入力がされたか否かを判別する。イエス（Ｙ）の場合はＳＴ９４に進み、ノー（Ｎ）の場合はＳＴ９５に進む。
ＳＴ９４において、入力に応じてパスワード候補画像１２１を更新する。そして、ＳＴ９３に戻る。
【００７１】
ＳＴ９５において、候補決定指示画像１２７（図１５の「決定」アイコン参照）を選択する入力がされたか否かを判別する。イエス（Ｙ）の場合はＳＴ９６に進み、ノー（Ｎ）の場合はＳＴ１００に進む。
ＳＴ９６において、作成パスワード候補表示欄１２２で選択されたパスワード候補があるか否かを判別する。イエス（Ｙ）の場合はＳＴ９７に進み、ノー（Ｎ）の場合はＳＴ９８に進む。
ＳＴ９７において、次の処理（１）、（２）を実行し、パスワード候補作成選択処理を終了する。
（１）選択されたパスワード候補を入力パスワード候補として記憶する。
（２）パスワード選択画像遷移判別フラグＦＬ１を「１」とする。
【００７２】
ＳＴ９８において、パスワード候補無選択告知画像１３１（図１６参照）を表示部ＵＩ１に表示してＳＴ９９に進む。
ＳＴ９９において、確認指示画像１３２（図１３の「ＯＫ」アイコン参照）を選択する入力がされたか否かを判別する。ノー（Ｎ）の場合はＳＴ９９を繰り返し、イエス（Ｙ）の場合はＳＴ９２に戻る。
ＳＴ１００において、キーワード再入力移行画像１２８（図１５の「取り消し」アイコン参照）を選択する入力がされたか否かを判別する。ノー（Ｎ）の場合はＳＴ１０２に進み、イエス（Ｙ）の場合はＳＴ８１に戻る。
【００７３】
ＳＴ１０２において、再作成候補選択状態移行画像１２４（図１５の「再作成用候補選択」アイコン参照）を選択する入力がされたか否かを判別する。ノー（Ｎ）の場合はＳＴ１０３に進み、イエス（Ｙ）の場合はＳＴ１０５に進む。
ＳＴ１０３において、その他の入力（作成パスワード候補表示欄１２２をスクロールさせる入力）がされたか否かを判別する。イエス（Ｙ）の場合はＳＴ１０４に進み、ノー（Ｎ）の場合はＳＴ９３に戻る。
ＳＴ１０４において、入力に応じてパスワード候補画像１２１を更新し、ＳＴ９３に戻る。
ＳＴ１０５において、次の処理（１）、（２）を実行して、ＳＴ１０６に進む。
（１）再作成用候補選択モードに設定（移行）する。
（２）パスワード候補画像１２１を、図１５Ｂに示すように、パスワード決定状態移行画像１２３（図１５の「パスワード決定」アイコン参照）が非選択状態、再作成候補選択状態移行画像１２４（図１５の「再作成用候補選択」アイコン参照）が選択状態のパスワード候補画像１２１に更新する。
【００７４】
ＳＴ１０６において、作成パスワード候補表示欄１２２のパスワード候補を選択する入力がされたか否かを判別する。イエス（Ｙ）の場合はＳＴ１０７に進み、ノー（Ｎ）の場合はＳＴ１０８に進む。
ＳＴ１０７において、入力に応じてパスワード候補画像１２１を更新する。そして、ＳＴ１０６に戻る。
ＳＴ１０８において、候補再作成画像１２６（図１５の「候補再作成」アイコン参照）を選択する入力がされたか否かを判別する。イエス（Ｙ）の場合はＳＴ１０９に進み、ノー（Ｎ）の場合はＳＴ１１０に進む。
ＳＴ１０９において、次の処理（１）、（２）を実行して、ＳＴ９０に戻る。
（１）作成パスワード候補表示欄１２２で選択されたパスワード候補をパスワード候補リストに登録し、その他のパスワード候補を削除する。
（２）パスワード候補作成数Ｎｓをリセットした後で、選択されたパスワード候補の数Ｎａを記憶し、パスワード候補作成数ＮｓをＮｓ−Ｎａに設定する。
【００７５】
ＳＴ１１０において、キーワード再入力移行画像１２８（図１５の「取り消し」アイコン参照）を選択する入力がされたか否かを判別する。ノー（Ｎ）の場合はＳＴ１１１に進み、イエス（Ｙ）の場合はＳＴ８１に戻る。
ＳＴ１１１において、パスワード決定状態移行画像１２３（図１５の「パスワード決定」アイコン参照）を選択する入力がされたか否かを判別する。ノー（Ｎ）の場合はＳＴ１１２に進み、イエス（Ｙ）の場合はＳＴ９１に戻る。
ＳＴ１１２において、その他の入力（作成パスワード候補表示欄１２２をスクロールさせる入力）がされたか否かを判別する。イエス（Ｙ）の場合はＳＴ１１３に進み、ノー（Ｎ）の場合はＳＴ１０６に戻る。
ＳＴ１１３において、入力に応じてパスワード候補画像１２１を更新し、ＳＴ１０６に戻る。
【００７６】
（パスワード候補作成処理（ＳＴ９０のサブルーチン）の説明）
図２５は実施例１のパスワード候補作成処理のフローチャートであり、図２３のＳＴ９０のサブルーチンである。
図２５のＳＴ１２１において、パスワード強度記憶手段Ｃ８Ｂに記憶されたパスワード強度の設定を取得する。そして、ＳＴ１２２に進む。
ＳＴ１２２において、入力された第１キーワードおよび第２キーワードの文字数を全て加算した全文字数がパスワード強度の最小桁数以上であるか否かを判別する。イエス（Ｙ）の場合はＳＴ１２３に進み、ノー（Ｎ）の場合はＳＴ１２８に進む。
ＳＴ１２３において、パスワード強度の設定に、大文字小文字混合の設定がないか否かを判別する。ノー（Ｎ）の場合はＳＴ１２４に進み、イエス（Ｙ）の場合はＳＴ１２５に進む。
ＳＴ１２４において、入力されたキーワード（第１キーワード及び第２キーワード）に英字が２文字以上あるか否かを判別する。イエス（Ｙ）の場合はＳＴ１２５に進み、ノー（Ｎ）の場合はＳＴ１２８に進む。
【００７７】
ＳＴ１２５において、パスワード強度の設定に、英数混合の設定がないか否かを判別する。ノー（Ｎ）の場合はＳＴ１２６に進み、イエス（Ｙ）の場合はＳＴ１３０に進む。
ＳＴ１２６において、入力されたキーワード（第１キーワード及び第２キーワード）に英字が一文字でもあるか否かを判別する。イエス（Ｙ）の場合はＳＴ１２７に進み、ノー（Ｎ）の場合はＳＴ１２８に進む。
ＳＴ１２７において、入力されたキーワード（第１キーワード及び第２キーワード）に数字が一文字でもあるか否かを判別する。イエス（Ｙ）の場合はＳＴ１３０に進み、ノー（Ｎ）の場合はＳＴ１２８に進む。
ＳＴ１２８において、強度満足候補作成不可画像９１（図１１Ａ参照）を表示部ＵＩ１に表示し、ＳＴ１２９に進む。
ＳＴ１２９において、確認指示画像９２（図１１Ａの「ＯＫ」アイコン参照）が入力されたか否かを判別する。イエス（Ｙ）の場合は図２３のＳＴ８１に戻り、ノー（Ｎ）の場合はＳＴ１２９を繰り返す。
【００７８】
ＳＴ１３０において、パスワード候補作成済数Ｎ１を０にリセットする。そして、ＳＴ１３１に進む。
ＳＴ１３１において、パスワード候補作成済数Ｎ１がパスワード候補作成数Ｎｓより小さいか否かを判別する。イエス（Ｙ）の場合はＳＴ１３２に進み、ノー（Ｎ）の場合は図２５のパスワード候補作成処理を終了する。
ＳＴ１３２において、第２キーワードが入力されているか否かを判別する。イエス（Ｙ）の場合はＳＴ１３３に進み、ノー（Ｎ）の場合はＳＴ１３７に進む。
ＳＴ１３３において、各キーワードの文字数Ｎｋをカウントする。そして、ＳＴ１３４に進む。
ＳＴ１３４において、乱数を発生させ、乱数値を取得する。そして、ＳＴ１３５に進む。
ＳＴ１３５において、乱数値を文字数Ｎｋ＋１で割った余りに応じて、混合位置をキーワード毎に決定する。そして、ＳＴ１３６に進む。
ＳＴ１３６において、決定された混合位置に応じてキーワードを混合し、パスワード候補を作成する。そして、ＳＴ１３７に進む。
【００７９】
ＳＴ１３７において、キーワードに英字が含まれているか否かを判別する。イエス（Ｙ）の場合はＳＴ１３８に進み、ノー（Ｎ）の場合はＳＴ１４５に進む。
ＳＴ１３８において、全キーワードに含まれる英字を抽出し、ＳＴ１３９に進む。
ＳＴ１３９において、乱数を発生させ、乱数値を取得する。そして、ＳＴ１４０に進む。
ＳＴ１４０において、取得した乱数値を３で割った余りに応じて、英字の変換の有無および変換する英字を決定する。そして、ＳＴ１４１に進む。
ＳＴ１４１において、決定に応じて、大文字、小文字を変換して、パスワード候補を作成、または、ＳＴ１３６で作成されたパスワード候補を更新する。そして、ＳＴ１４２に進む。
ＳＴ１４２において、乱数を発生させ、乱数値を取得する。そして、ＳＴ１４３に進む。
ＳＴ１４３において、取得した乱数値を２で割った余りに応じて、母音を削除するか否かを決定する。そして、ＳＴ１４４に進む。
ＳＴ１４４において、決定に応じて、母音の削除を実行または不実行して、パスワード候補を作成、または、ＳＴ１３６、ＳＴ１４１で作成されたパスワード候補を更新する。そして、ＳＴ１４５に進む。
【００８０】
ＳＴ１４５において、作成されたパスワード候補の全文字数がパスワード強度の最小桁数以上最大桁数以下であるか否かを判別する。イエス（Ｙ）の場合はＳＴ１４６に進み、ノー（Ｎ）の場合はＳＴ１４９に進む。
ＳＴ１４６において、パスワード強度の設定に、大文字小文字混合の設定がないか否かを判別する。ノー（Ｎ）の場合はＳＴ１４７に進み、イエス（Ｙ）の場合はＳＴ１５０に進む。
ＳＴ１４７において、作成されたパスワード候補に大文字が一文字でも含まれているか否かを判別する。イエス（Ｙ）の場合はＳＴ１４８に進み、ノー（Ｎ）の場合はＳＴ１４９に進む。
ＳＴ１４８において、作成されたパスワード候補に小文字が一文字でも含まれているか否かを判別する。イエス（Ｙ）の場合はＳＴ１５０に進み、ノー（Ｎ）の場合はＳＴ１４９に進む。
ＳＴ１４９において、作成されたパスワード候補を破棄する。そして、ＳＴ１３１に戻る。
ＳＴ１５０において、次の処理（１）、（２）を実行して、ＳＴ１３１に戻る。
（１）作成されたパスワード候補をパスワード候補リストに登録する。
（２）パスワード候補作成済数Ｎ１を１加算する。すなわち、Ｎ１＝Ｎ１＋１とする。
【００８１】
（パスワード確認処理（ＳＴ４９のサブルーチン）の説明）
図２６は実施例１のパスワード確認処理のフローチャートであり、図２０のＳＴ４９のサブルーチンである。
図２６のＳＴ１６１において、パスワード強度記憶手段Ｃ８Ｂに記憶されたパスワード強度の設定を取得する。そして、ＳＴ１６２に進む。
ＳＴ１６２において、パスワード候補の全文字数がパスワード強度の最小桁数以上最大桁数以下であるか否かを判別する。イエス（Ｙ）の場合はＳＴ１６３に進み、ノー（Ｎ）の場合はＳＴ１６８に進む。
ＳＴ１６３において、パスワード強度の設定に、大文字小文字混合の設定がないか否かを判別する。ノー（Ｎ）の場合はＳＴ１６４に進み、イエス（Ｙ）の場合はＳＴ１６６に進む。
ＳＴ１６４において、パスワード候補に大文字が一文字でも含まれているか否かを判別する。イエス（Ｙ）の場合はＳＴ１６５に進み、ノー（Ｎ）の場合はＳＴ１６９に進む。
ＳＴ１６５において、パスワード候補に小文字が一文字でも含まれているか否かを判別する。イエス（Ｙ）の場合はＳＴ１６６に進み、ノー（Ｎ）の場合はＳＴ１６９に進む。
【００８２】
ＳＴ１６６において、パスワード強度の設定に、英数混合の設定がないか否かを判別する。ノー（Ｎ）の場合はＳＴ１７１に進み、イエス（Ｙ）の場合はＳＴ１６７に進む。
ＳＴ１６７において、入力されたキーワード（第１キーワード及び第２キーワード）に英字が一文字でもあるか否かを判別する。イエス（Ｙ）の場合はＳＴ１６８に進み、ノー（Ｎ）の場合はＳＴ１６９に進む。
ＳＴ１６８において、入力されたキーワード（第１キーワード及び第２キーワード）に数字が一文字でもあるか否かを判別する。イエス（Ｙ）の場合はＳＴ１７１に進み、ノー（Ｎ）の場合はＳＴ１６９に進む。
ＳＴ１６９において、強度不足告知画像９１（図１１Ａ参照）を表示部ＵＩ１に表示する。そして、ＳＴ１７０に進む。
ＳＴ１７０において、強度不足告知画像９１の確認指示画像９２（図１１Ａの「ＯＫ」アイコン参照）を選択する入力がされたか否かを判別する。イエス（Ｙ）の場合は図２０のＳＴ４１に戻り、ノー（Ｎ）の場合はＳＴ１７０を繰り返す。
【００８３】
ＳＴ１７１において、パスワード設定確認画像８１（図１０参照）を表示部ＵＩ１に表示する。そして、ＳＴ１７２に進む。
ＳＴ１７２において、パスワード設定確認画像８１のパスワード候補入力開始画像８３（図１０の「変更／削除」アイコン参照）を選択する入力がされたか否かを判別する。イエス（Ｙ）の場合はＳＴ１７３に進み、ノー（Ｎ）の場合はＳＴ１７４に進む。
ＳＴ１７３において、パスワード候補を入力するためにキーボード画像３１を表示部ＵＩ１に表示して、キーボード入力部３３によりパスワード候補の入力を行う変更削除用処理（前記図２１のサブルーチン参照）を実行して、ＳＴ１７１に戻る。
ＳＴ１７４において、パスワード設定確認画像８１の確認取り消し画像８６（図１０の「取り消し」アイコン参照）を選択する入力がされたか否かを判別する。イエス（Ｙ）の場合はＳＴ１７５に進み、ノー（Ｎ）の場合はＳＴ１７６に進む。
ＳＴ１７５において、パスワード選択画像遷移判別フラグＦＬ１が「１」であるか否かを判別する。イエス（Ｙ）の場合はＳＴ図２４のＳＴ１９２に戻り、ノー（Ｎ）の場合はＳＴ図２０のＳＴ４１に戻る。
【００８４】
ＳＴ１７６において、再入力完了指示画像８４（図１０の「決定」アイコン参照）を選択する入力がされたか否かを判別する。イエス（Ｙ）の場合はＳＴ１７７に進み、ノー（Ｎ）の場合はＳＴ１７２に戻る。
ＳＴ１７７において、再入力パスワード候補表示欄８２に入力された確認入力パスワードは、パスワード候補入力画像６１やパスワード候補画像１２１で入力または選択されたパスワード候補と一致するか否かを判別する。ノー（Ｎ）の場合はＳＴ１７８に進み、イエス（Ｙ）の場合はＳＴ１８０に進む。
ＳＴ１７８において、パスワード不一致告知画像９６（図１１Ｂ参照）を表示部ＵＩ１に表示し、ＳＴ１７９に進む。
ＳＴ１７９において、確認指示画像９７（図１１Ｂの「ＯＫ」アイコン参照）を選択する入力がされたか否かを判別する。イエス（Ｙ）の場合はＳＴ１７１に戻り、ノー（Ｎ）の場合はＳＴ１７９を繰り返す。
ＳＴ１８０において、パスワード候補を新たなパスワードとして設定、記憶する。そして、図２６のパスワード確認処理を終了して、図２０に戻る。
【００８５】
（実施例１の作用）
前記構成を備えた実施例１の画像形成装置としての複合機Ｐｒ１では、パスワード候補入力画像６１でパスワード候補を入力すると、図２６のＳＴ１６１〜ＳＴ１６８で必要なパスワード強度を満足しているか否かが判別されるので、複合機Ｐｒ１の認証システムが必要とするパスワード強度を満足するパスワードを設定することができる。よって、ユーザが自分で入力した、覚えやすく且つ設定された所定のパスワード強度を満足するパスワードを設定することができる。
また、前記パスワード強度は、図２２のパスワード強度設定処理で変更できるので、ユーザの使用環境に応じて適切なパスワード強度に設定することができる。
さらに、実施例１では、２つのキーワードを入力することにより、２つのキーワードがランダムに混合、大文字小文字変換、母音の削除等がされ（ＳＴ１３２〜ＳＴ１４４参照）、且つ、パスワード強度を満足する（ＳＴ１４５〜ＳＴ１５０参照）パスワード候補が自動的に作成される。そして、ユーザは、パスワード候補画像１２１に表示されたパスワード候補から自分の覚えやすいパスワード候補を選択することができる。この結果、パスワード強度を満足し且つ、ユーザが覚えやすいパスワードを設定することができる。したがって、悪意のある第三者に推測されにくいパスワードを設定でき、悪用を低減できる。また、ユーザが覚えやすいパスワードが設定されるので、パスワードをメモすることが少なくなり、メモの盗難や閲覧等によるパスワードの漏洩等も減らすことができる。
【実施例２】
【００８６】
次に本発明の実施例２の説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００８７】
（実施例２の制御部の説明）
（画像形成装置の制御部の説明）
（実施例２のコントローラＣの機能）
図２７は、実施例２の画像形成装置としての複合機の制御部分が備えている各機能をブロック図（機能ブロック図）で示した図であり、実施例１の図２に対応する図である。
図２８は実施例２のパスワード候補入力画像６１′の説明図であり、実施例１の図８、図１２、図１５に対応する図である。
【００８８】
図２７において、実施例２のパスワード候補入力画像表示手段Ｃ７′は、キーワード入力画像１０１およびパスワード候補画像１２１の機能も備えたパスワード候補入力画像６１′（図２８参照）を表示部ＵＩ１に表示する。図２８において、実施例２のパスワード候補入力画像６１′は、実施例１と同様のパスワード候補表示欄６２と、パスワード候補入力開始画像６３（図２８の「変更／削除」アイコン参照）と、パスワード強度設定開始画像６４（図２８の「パスワード強度参照／変更」アイコン参照）と、候補作成開始画像６６（図２８の「候補作成」アイコン参照）と、候補入力完了指示画像６７（図２８の「決定」アイコン参照）と、パスワード設定取り消し画像６８（図２８の「取り消し」アイコン参照）に加え、第１キーワード入力欄１０２（図２８では、第１キーワードとして入力された「Ｍｕｒａｍａｓａ」が表示されている）と、第２キーワード入力欄１０３（図２８では、第２キーワードとして入力された「０１」が表示されている）と、パスワード候補入力開始画像１０４（図２８の「変更／削除」アイコン参照）と、作成パスワード候補表示欄１２２と、パスワード決定状態移行画像１２３（図２８の「パスワード決定」アイコン参照）と、再作成候補選択状態移行画像１２４（図２８の「再作成用候補選択」アイコン参照）と、を有する。
【００８９】
なお、実施例２では、作成パスワード候補表示欄１２２のパスワード候補が選択されると、パスワード候補表示欄６２に反映され（表示は全て「＊」）、この状態でパスワード候補入力開始画像６３を選択すると、反映されたパスワード候補の編集（英数字の変更、追加、削除）ができるように構成されている。なお、反映されたパスワード候補の編集があった場合には、作成パスワード候補表示欄１２２で選択されたパスワード候補の表示を選択状態から非選択状態とすることで、パスワード設定中に他者が覗くことによる情報漏洩やパスワードの推測の可能性を減らしている。
また、実施例１のコントローラＣでは、パスワード選択画像遷移判別フラグＦＬ１が省略されている。
【００９０】
（実施例２のフローチャートの説明）
次に、実施例２のフローチャートの説明を行うが、実施例１のフローチャートと同様の処理には同一のステップ（ＳＴ）番号を付し、詳細な説明は省略する。
（パスワード設定処理フローチャートの説明）
図２９は実施例２のパスワード設定処理のフローチャートであり、実施例１の図２０、図２３，図２４に対応するフローチャートである。
図３０は実施例２のパスワード設定処理のフローチャートであり、図２９の続きのフローチャートである。
【００９１】
図２９のＳＴ２０１において、実施例１のＳＴ９１と同様に、パスワード決定モードに設定して、ＳＴ２０２に進む。
ＳＴ２０２において、実施例１のＳＴ４１と同様に、表示部ＵＩ１にパスワード候補入力画像６１′（図２８参照）を表示する。そして、ＳＴ２０３に進む。
ＳＴ２０３において、実施例１のＳＴ４２と同様に、パスワード候補入力開始画像６３（図２８の「変更／削除」アイコン参照）の入力がされたか否かを判別する。イエス（Ｙ）の場合はＳＴ２０４に進み、ノー（Ｎ）の場合はＳＴ２０５に進む。
ＳＴ２０４において、実施例１のＳＴ４３と同様に、パスワード候補を入力するためにキーボード画像３１を表示部ＵＩ１に表示して、キーボード入力部３３によりパスワード候補の入力を行う変更削除用処理（前記図２１のサブルーチン参照）を実行して、ＳＴ２０２に戻る。
【００９２】
ＳＴ２０５において、実施例１のＳＴ４４と同様に、パスワード強度設定開始画像６４（図２８の「パスワード強度参照／変更」アイコン参照）を選択する入力がされたか否かを判別する。イエス（Ｙ）の場合はＳＴ２０６に進み、ノー（Ｎ）の場合はＳＴ２０７に進む。
ＳＴ２０６において、実施例１のＳＴ４５と同様に、パスワードの複雑度（パスワード強度）の設定を行うパスワード強度設定処理（前記図２２のサブルーチン参照）を実行して、ＳＴ２０２に戻る。
ＳＴ２０７において、実施例１のＳＴ４６と同様に、候補作成開始画像６６（図２８の「候補作成」アイコン参照）を選択する入力がされたか否かを判別する。イエス（Ｙ）の場合はＳＴ２０８に進み、ノー（Ｎ）の場合はＳＴ２０９に進む。
ＳＴ２０８において、実施例１のＳＴ９０と同様に、パスワード候補を作成するパスワード候補作成処理（前記図２５のサブルーチン参照）を実行して、ＳＴ２０２に戻る。
【００９３】
ＳＴ２０９において、実施例１のＳＴ９３と同様に、作成パスワード候補表示欄１２２のパスワード候補を選択する入力がされたか否かを判別する。イエス（Ｙ）の場合はＳＴ２１０に進み、ノー（Ｎ）の場合はＳＴ２１１に進む。
ＳＴ２１０において、パスワード候補表示欄６２の内容を破棄して、作成パスワード候補表示欄１２２で選択されたパスワード候補をパスワード候補に設定し、パスワード候補表示欄６２に表示する。そして、ＳＴ２０２に戻る。
ＳＴ２１１において、候補入力完了指示画像６７（図２８の「決定」アイコン参照）を選択する入力がされたか否かを判別する。イエス（Ｙ）の場合はＳＴ２１２に進み、ノー（Ｎ）の場合はＳＴ２１７に進む。
ＳＴ２１２において、パスワード候補表示欄６２に入力されたパスワード候補があるか否かを判別する。イエス（Ｙ）の場合はＳＴ２１３に進み、ノー（Ｎ）の場合はＳＴ２１５に進む。
ＳＴ２１３において、入力されたパスワード候補を入力パスワード候補として記憶する。そして、ＳＴ２１４に進む。
ＳＴ２１４において、実施例１のＳＴ４９と同様のパスワード確認処理（図２６参照）を実行して、図２９のパスワード設定処理を終了する。
【００９４】
ＳＴ２１５において、実施例１のＳＴ９８と同様に、パスワード候補無選択告知画像１３１（図１６参照）を表示部ＵＩ１に表示してＳＴ２１６に進む。
ＳＴ２１６において、実施例１のＳＴ９９と同様に、確認指示画像１３２（図１６の「ＯＫ」アイコン参照）を選択する入力がされたか否かを判別する。ノー（Ｎ）の場合はＳＴ２１６を繰り返し、イエス（Ｙ）の場合はＳＴ２０２に戻る。
ＳＴ２１７において、実施例１のＳＴ１０２と同様に、再作成候補選択状態移行画像１２４（図２８の「再作成用候補選択」アイコン参照）を選択する入力がされたか否かを判別する。ノー（Ｎ）の場合はＳＴ２１８に進み、イエス（Ｙ）の場合は図３０のＳＴ２１９に進む。
ＳＴ２１８において、実施例１のＳＴ５０と同様に、パスワード設定取り消し画像６８（図２８の「取り消し」アイコン参照）を選択する入力がされたか否かを判別する。ノー（Ｎ）の場合はＳＴ２０３に戻り、イエス（Ｙ）の場合は図２９のパスワード設定処理を終了する。
【００９５】
図３０のＳＴ２１９において、実施例１のＳＴ１０５と同様に、次の処理（１）、（２）を実行して、ＳＴ２２０に進む。
（１）再作成用候補選択モードに設定（移行）する。
（２）パスワード入力画像６１′を、図２８Ｂに示すように、パスワード決定状態移行画像１２３（図２８の「パスワード決定」アイコン参照）が非選択状態、再作成候補選択状態移行画像１２４（図２８の「再作成用候補選択」アイコン参照）が選択状態のパスワード入力画像６１′に更新する。
ＳＴ２２０において、実施例１のＳＴ１０６と同様に、作成パスワード候補表示欄１２２のパスワード候補を選択する入力がされたか否かを判別する。イエス（Ｙ）の場合はＳＴ２２１に進み、ノー（Ｎ）の場合はＳＴ２２２に進む。
ＳＴ２２１において、実施例１のＳＴ１０７と同様に、入力に応じてパスワード入力画像６１′を更新する。そして、ＳＴ２２０に戻る。
【００９６】
ＳＴ２２２において、候補作成画像６６（図２８の「候補作成」アイコン参照）または候補入力完了指示画像６７（図２８の「決定」アイコン参照）を選択する入力がされたか否かを判別する。イエス（Ｙ）の場合はＳＴ２２３に進み、ノー（Ｎ）の場合はＳＴ２２４に進む。
ＳＴ２２３において、実施例１のＳＴ１０９と同様に、次の処理（１）、（２）を実行して、ＳＴ２０８に戻る。
（１）作成パスワード候補表示欄１２２で選択されたパスワード候補をパスワード候補リストに登録し、その他のパスワード候補を削除する。
（２）パスワード候補作成数Ｎｓをリセットした後で、選択されたパスワード候補の数Ｎａを記憶し、パスワード候補作成数ＮｓをＮｓ−Ｎａに設定する。
【００９７】
ＳＴ２２４において、パスワード設定取り消し画像６８（図２８の「取り消し」アイコン参照）を選択する入力がされたか否かを判別する。ノー（Ｎ）の場合はＳＴ２２５に進み、イエス（Ｙ）の場合は図２９のパスワード設定処理を終了する。
ＳＴ２２５において、実施例１のＳＴ１１１において、パスワード決定状態移行画像１２３（図２８の「パスワード決定」アイコン参照）を選択する入力がされたか否かを判別する。ノー（Ｎ）の場合はＳＴ２２６に進み、イエス（Ｙ）の場合は図２９のＳＴ２０１に戻る。
ＳＴ２２６において、実施例１のＳＴ４２と同様に、パスワード候補入力開始画像６３（図２８の「変更／削除」アイコン参照）の入力がされたか否かを判別する。イエス（Ｙ）の場合はＳＴ２２７に進み、ノー（Ｎ）の場合はＳＴ２２８に進む。
ＳＴ２２７において、実施例１のＳＴ４３と同様に、パスワード候補を入力するためにキーボード画像３１を表示部ＵＩ１に表示して、キーボード入力部３３によりパスワード候補の入力を行う変更削除用処理（前記図２１のサブルーチン参照）を実行して、ＳＴ２２０に戻る。
【００９８】
ＳＴ２２８において、実施例１のＳＴ４４と同様に、パスワード強度設定開始画像６４（図２８の「パスワード強度参照／変更」アイコン参照）を選択する入力がされたか否かを判別する。イエス（Ｙ）の場合はＳＴ２２９に進み、ノー（Ｎ）の場合はＳＴ２３０に進む。
ＳＴ２２９において、実施例１のＳＴ４５と同様に、パスワードの複雑度（パスワード強度）の設定を行うパスワード強度設定処理（前記図２２のサブルーチン参照）を実行して、ＳＴ２２０に戻る。
ＳＴ２３０において、実施例１のＳＴ１１２と同様に、その他の入力（作成パスワード候補表示欄１２２をスクロールさせる入力）がされたか否かを判別する。イエス（Ｙ）の場合はＳＴ２３１に進み、ノー（Ｎ）の場合はＳＴ２２０に戻る。
ＳＴ２３１において、入力に応じてパスワード入力画像６１′を更新し、ＳＴ２２０に戻る。
【００９９】
（実施例２の作用）
前記構成を備えた実施例２の画像形成装置としての複合機Ｐｒ１では、パスワード候補入力画像６１′がキーワード入力画像１０１およびパスワード候補画像１２１の機能も備えているので、一つの画像６１′上で、パスワードの手動入力や、キーワードの入力、パスワードの作成、および、作成されたパスワードの選択もできる。したがって、一度に多くの情報が表示されるので、パスワード候補の自動作成や選択、入力が行いやすく、ユーザの操作性を向上させることができる。
【０１００】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ011）を下記に例示する。
（Ｈ01）前記実施例において、コピー、プリンタ、スキャナ、ＦＡＸの全ての機能を備えた複合機を例示したが、これに限定されず、各機能のいずれか１つまたは複数を備えた画像形成装置にも適用可能である。また、パスワード設定装置としての画像形成装置を例示したが、これに限定されず、複数のユーザにより使用されるワークステーション等の情報処理装置にも適用可能である。
【０１０１】
（Ｈ02）前記実施例において、パスワードの複雑度（パスワード強度）として、桁数や大文字小文字混合、英数混合の場合を例示したが、これに限定されず、例えば、記号（「＃」や「＋」、「＠」等）を混合させることを要求するように設定できる。
（Ｈ03）前記実施例において、各画像１１〜１３１は設計等に応じて変更可能である。
（Ｈ04）前記実施例において、キーワードからパスワード候補を作成する際に、桁数や英数字の不足等があった場合に、パスワード候補を作成できない旨を告知したが、これに限定されず、例えば、数字が足らない場合には、自動的に乱数値を取得して、乱数値とキーワードとを混合するように構成したり、複数の英字を予め登録しておき英字が不足している場合には英字を補って混合するように構成することも可能である。
【０１０２】
（Ｈ05）前記実施例において、認証方法や権限変更認証方法はユーザＩＤとパスワードを使用したが、これに限定されず、パスワードのみとしたり、認証情報が記憶された磁気カードやＩＣカードを読取る（接触型または非接触型）認証にパスワードを組み合わせたり、指紋パターンや静脈パターン、網膜パターン等により認証を行う生体認証にパスワードを組み合わせたりする等、任意の認証方法を採用可能である。
（Ｈ06）前記実施例において、再作成用候補選択モードで、選択したパスワード候補を残すだけにしたが、これに限定されず、例えば、選択されたパスワード候補の混合位置や、大文字小文字の変換の有無、母音の削除の有無等のパスワード作成規則を解析し、解析された生成規則に近い傾向のパスワード候補を再作成するように構成することも可能である。例えば、混合位置を同一に設定し、大文字小文字の変換の有無と母音の削除の有無を変更したり、第１キーワードの混合位置を固定し、第２キーワードの混合位置や大文字小文字の変換の有無と母音の削除の有無を変更したりすることにより、解析された生成規則に近い傾向のパスワードを再作成することができる。
【０１０３】
（Ｈ07）前記実施例において、複合機Ｐｒ１でパスワードの認証やパスワードの設定を全て行ったが、これに限定されず、ネットワーク接続型の画像形成装置において、キーワードやパスワード候補の入力のみを画像形成装置で行い、管理者サーバとの交信により、パスワードの認証や自動生成、設定を行うパスワード設定システムとすることも可能である。
（Ｈ08）前記実施例において、複数のパスワード候補を作成したが、これに限定されず、１つのパスワード候補を表示し、ユーザが再作成を押すことで次々にパスワード候補を作成、表示するように構成することも可能である。
【０１０４】
（Ｈ09）前記実施例において、母音の削除を実行したが、これに限定されず、子音の削除や、奇数番目の英数を削除する等、任意の変換、加工方法でパスワード候補を作成することができる。
（Ｈ010）前記実施例において、大文字小文字の変換は、奇数番目または偶数番目としたが、これに限定されず、乱数を使用して、任意の位置の文字を変換するようにすることができる。例えば、乱数が「１８４９」の場合、１番目と４番目と８番目と９番目の文字を変換するようにすることも可能である。
（Ｈ011）前記実施例において、図１５のパスワード候補画像でパスワード決定モード時と再作成候補選択モード時で、使用しないアイコンをグレーアウト表示させたが、これに限定されず、使用しないアイコンを表示しないように構成することも可能である。
【図面の簡単な説明】
【０１０５】
【図１】図１は本発明の実施例１の画像形成装置の全体説明図である。
【図２】図２は、実施例１の画像形成装置としての複合機の制御部分が備えている各機能をブロック図（機能ブロック図）で示した図である。
【図３】図３は実施例１の認証画像の説明図である。
【図４】図４は実施例１の認証不可告知画像の説明図である。
【図５】図５は実施例１のキーボード画像の説明図である。
【図６】図６は実施例１の機能選択画像の説明図である。
【図７】図７は実施例１の登録変更設定画像の説明図である。
【図８】図８は実施例１のパスワード候補入力画像の説明図である。
【図９】図９は実施例１のパスワード強度設定画像の説明図である。
【図１０】図１０は実施例１のパスワード設定確認画像の説明図である。
【図１１】図１１は実施例１の表示画像の説明図であり、図１１Ａは強度不足告知画像の説明図、図１１Ｂは確認パスワード不一致告知画像の説明図である。
【図１２】図１２は実施例１のキーワード入力画像の説明図である。
【図１３】図１３は実施例１の強度満足候補作成不可告知画像の説明図である。
【図１４】図１４はキーワード混合位置の説明図である。
【図１５】図１５は実施例１のパスワード候補画像の説明図であり、図１５Ａはパスワード決定モード時のパスワード候補画像の説明図、図１５Ｂは再作成候補選択モード時のパスワード候補画像の説明図である。
【図１６】図１６は実施例１のパスワード候補無選択告知画像の説明図である。
【図１７】図１７は実施例１の画像形成装置のメインフローチャートである。
【図１８】図１８は実施例１のユーザ認証処理のフローチャートであり、図１７のＳＴ１のサブルーチンである。
【図１９】図１９は実施例１の登録変更処理のフローチャートであり、図１７のＳＴ１０のサブルーチンである。
【図２０】図２０は実施例１のパスワード設定処理のフローチャートであり、図１９のＳＴ３３のサブルーチンである。
【図２１】図２１は実施例１の変更削除用処理のフローチャートであり、図１８のＳＴ２４や図２０のＳＴ４３等のサブルーチンである。
【図２２】図２２は実施例１のパスワード強度設定処理のフローチャートであり、図２０のＳＴ４５等のサブルーチンである。
【図２３】図２３はパスワード候補作成選択処理のフローチャートであり、図２０のＳＴ４７のサブルーチンである。
【図２４】図２４はパスワード候補作成選択処理のフローチャートであり、図２３の続きのフローチャートである。
【図２５】図２５は実施例１のパスワード候補作成処理のフローチャートであり、図２３のＳＴ９０のサブルーチンである。
【図２６】図２６は実施例１のパスワード確認処理のフローチャートであり、図２０のＳＴ４９のサブルーチンである。
【図２７】図２７は、実施例２の画像形成装置としての複合機の制御部分が備えている各機能をブロック図（機能ブロック図）で示した図であり、実施例１の図２に対応する図である。
【図２８】図２８は実施例２のパスワード候補入力画像６１′の説明図であり、実施例１の図８、図１２、図１５に対応する図である。
【図２９】図２９は実施例２のパスワード設定処理のフローチャートであり、実施例１の図２０、図２３，図２４に対応するフローチャートである。
【図３０】図３０は実施例２のパスワード設定処理のフローチャートであり、図２９の続きのフローチャートである。
【符号の説明】
【０１０６】
６１，６１′…パスワード候補入力画像、
７１…複雑度設定画像、ＵＩ１…情報表示画面、
１０１，６１′…キーワード入力画像、
１２１，６１′…パスワード候補画像、
Ｃ７，Ｃ７′…パスワード候補入力画像表示手段、
Ｃ８Ａ…複雑度設定画像表示手段、
Ｃ８Ｂ…複雑度記憶手段、
Ｃ９…複雑度判別手段、
Ｃ１３…パスワード設定手段、
Ｃ１４，Ｃ７′…キーワード入力画像表示手段、
Ｃ１５…パスワード候補作成手段、
Ｃ１７，Ｃ７′…パスワード候補画像表示手段、
Ｐ１…パスワード設定プログラム、
Ｐｒ１…パスワード設定装置，コンピュータ，画像形成装置。
【図１】
2007148703.tif 000003
【図２】
2007148703.tif 000004
【図３】
2007148703.tif 000005
【図４】
2007148703.tif 000006
【図５】
2007148703.tif 000007
【図６】
2007148703.tif 000008
【図７】
2007148703.tif 000009
【図８】
2007148703.tif 000010
【図９】
2007148703.tif 000011
【図１０】
2007148703.tif 000012
【図１１】
2007148703.tif 000013
【図１２】
2007148703.tif 000014
【図１３】
2007148703.tif 000015
【図１４】
2007148703.tif 000016
【図１５】
2007148703.tif 000017
【図１６】
2007148703.tif 000018
【図１７】
2007148703.tif 000019
【図１８】
2007148703.tif 000020
【図１９】
2007148703.tif 000021
【図２０】
2007148703.tif 000022
【図２１】
2007148703.tif 000023
【図２２】
2007148703.tif 000024
【図２３】
2007148703.tif 000025
【図２４】
2007148703.tif 000026
【図２５】
2007148703.tif 000027
【図２６】
2007148703.tif 000028
【図２７】
2007148703.tif 000029
【図２８】
2007148703.tif 000030
【図２９】
2007148703.tif 000031
【図３０】
2007148703.tif 000032